(57)【要約】【課題】  操作の際に発生するノイズ音を低減させることができるズームスイッチ操作装置を提供する。【解決手段】  ズームスイッチ操作装置２２は、操作部材２４、ストッパ２５、２６、スイッチ２７、２８から構成される。操作部材２６は自身が磁化されており突起３１がＮ極に、突起３２がＳ極になっている。これらの突起３１、３２（第一磁石）がストッパ２５，２６に設けられた磁石２７、２８（第二磁石）に反発することで操作部材２６は中立回動位置を保っている。突起３１及び突起３２の後面側には、エストラマにより形成された樹脂部３８、３９（クッション部）が設けられている。操作部材２６が中立回動位置から回動すると、樹脂部３８または３９がストッパ２５，２６の一方に当接する。樹脂部３８または３９が当接の際の衝撃を吸収するため、接触音は発生しない。これらの動作と同時に操作部材２４は、スイッチ２７、２８を押圧する。【選択図】        図３
2005183081.tif 000002
【特許請求の範囲】
【請求項１】
録音可能な携帯機器に組み込まれ、録音中にオフ位置とオン位置との間で切り替え操作される操作部材と、この操作部材がオン位置に移動したことを検知するスイッチとを有するスイッチ操作装置において、
前記操作部材に固定された第一磁石と、この第一磁石と対面するように操作部材の近傍に離間して設けられた第二磁石とからなり、操作部材への操作力を解除したときに両磁石の相互間に生じる磁力によって操作部材をオフ位置に戻す復帰手段と、
オン位置に向かって操作された前記操作部材の一部を受け止めてその移動を制限するストッパと、
前記ストッパと操作部材の前記一部との少なくとも一方に他方と対面するように設けられ、操作部材をオン位置に移動したときに前記一部とストッパとの間で両者の衝突を和らげるクッション部とが設けられていることを特徴とするスイッチ操作装置。
【請求項２】
前記携帯機器がズームレンズを備えた動画撮影可能なカメラであって、前記操作部材は、オフ位置の両側に設定された二つのオン位置のいずれかに選択的に操作可能なズーム操作部材であり、前記復帰手段はズーム操作部材をそれぞれのオン位置からオフ位置に戻す二組の第一、第二磁石からなることを特徴とする請求項１記載のスイッチ操作装置。
【請求項３】
前記ズーム操作部材はオフ位置からそれぞれのオン位置との間で揺動自在であり、第一及び第二磁石の磁極が共通、かつ各々の組では磁極が異なり、それそれの反発力によってズーム操作部材がオフ位置に戻して保持されることを特徴とする請求項２記載のスイッチ操作装置。
【請求項４】
前記第一磁石は、ズーム操作部材自体を磁化させることによって設けられていることを特徴とする請求項２または３記載のスイッチ操作装置。
【請求項５】
前記クッション部材は、ズーム操作部材に二色成形によって一体化されたエストラマーであることを特徴とする請求項２ないし４いずれか一つ記載のスイッチ操作装置。
【発明の詳細な説明】
【技術分野】
【０００１】
本発明は、録音可能な携帯機器に設けられたスイッチ操作装置に関するものである。
【背景技術】
【０００２】
最近ではビデオカメラに限らず、デジタルカメラ等でも動画撮影が可能である。これらのカメラによる動画撮影により被写体の動画像と音声が記録される。動画撮影の際には、フォーカス動作、アイリス動作、ズーム動作等の各種動作が行われるが、フォーカス動作及びアイリス動作が自動で行われることが多いのに対し、ズーム動作は撮影者の意向に沿って手動で行われる。
【０００３】
ズーム動作は、撮影者がズームスイッチ操作装置に設けられた操作部材をオフ位置からオン位置に切り替え操作することで行われる。操作部材がオフ位置からオン位置に移動すると、これをスイッチが検出し、検出信号を制御部に送る。制御部では、駆動モータを駆動してズームレンズを移動させる。これにより、撮影者はテレ側またはワイド側での撮影が可能になる。
【０００４】
ズームスイッチ操作装置の操作部材は、多くの場合、バネの付勢力により中立位置に保持され、この中立位置をオフ位置としている。例えば、図６（Ａ）に示すように、カメラ本体に設けられた軸１０５を中心に回動可能に設けられたズームスイッチ操作装置１００の操作部材１０１は、板バネ１０２により中立回動位置に保持されている。板バネ上部１０２ａが操作部材１０１に設けられた付勢突起１０１ａを左向きに押すことで操作部材１０１には反時計回りの付勢力が働き、一方、板バネ下部１０２ｂが操作部材１０１に設けられた付勢突起１０１ｂを左向きに押すことで操作部材１０１には時計回りの付勢力が働く。中立回動位置ではこれらの付勢力がつり合っている。
【０００５】
操作部材１０１のオン位置は、図６（Ｂ）に示すように、操作部材１０１の突起１０１ｄがスイッチ１０４を押圧するときの位置である。操作部材１０１をこのオン位置に移動させれば、ワイド側での撮影が可能となる。操作部材１０１をオフ位置からオン位置に移動させるには、突起１０１ｅに下方向の力を板バネ１０２の付勢力に抗するように加えればよい。なお、上記以外にも操作部材１０１の突起１０１ｅに上方向の力を加えることで、突起１０１ｃがスイッチ１０３を押圧するオン位置があり、操作部材１０１をこのオン位置に移動させればテレ側での撮影が可能となる。
【発明の開示】
【発明が解決しようとする課題】
【０００６】
しかしながら、ズームスイッチ操作装置１００の操作部材１０１を中立回動位置に保持するのに板バネ１０２を用いる場合、操作部材１０１を操作するときにノイズ音が発生する。例えば、操作部材１０１をオフ位置からオン位置に移動させる途中で板バネ１０２とカメラカバー１０６との摺動音が発生し、また、操作部材１０１がオン位置に位置すると、操作部材の突起１０１ｃと板バネ１０２ａまたは突起１０１ｄと板バネ１０２ｂとの接触音が発生する。これらのノイズ音はカメラ本体に設けられたマイクに取得され、録音の音質の低下を招いてしまう。上記のノイズ音は、カメラの外部環境から発生されるノイズ音に比べてマイクに近い場所で発生されるため、録音の音質に与える影響が大きい。
【０００７】
本発明は、録音可能な携帯機器に組み込まれ録音中に操作されるスイッチ操作装置に関し、操作の際に発生するノイズ音を低減させることができるスイッチ操作装置を提供することを目的とする。
【課題を解決するための手段】
【０００８】
録音可能な携帯機器に組み込まれ、録音中にオフ位置とオン位置との間で切り替え操作される操作部材と、この操作部材がオン位置に移動したことを検知するスイッチとを有するスイッチ操作装置に関し、前記操作部材に固定された第一磁石と、この第一磁石と対面するように操作部材の近傍に離間して設けられた第二磁石とからなり、操作部材への操作力を解除したときに両磁石の相互間に生じる磁力によって操作部材をオフ位置に戻す復帰手段と、オン位置に向かって操作された前記操作部材の一部を受け止めてその移動を制限するストッパと、前記ストッパと操作部材の前記一部との少なくとも一方に他方と対面するように設けられ、操作部材をオン位置に移動したときに前記一部とストッパとの間で両者の衝突を和らげるクッション部とが設けられていることを特徴とする。
【０００９】
前記携帯機器がズームレンズを備えた動画撮影可能なカメラであるとき、前記操作部材は、オフ位置の両側に設定された二つのオン位置のいずれかに選択的に操作可能なズーム操作部材であり、前記復帰手段はズーム操作部材をそれぞれのオン位置からオフ位置に戻す二組の第一、第二磁石からなることが好ましい。
【００１０】
前記ズーム操作部材はオフ位置からそれぞれのオン位置との間で揺動自在であり、第一及び第二磁石の磁極が共通、かつ各々の組では磁極が異なり、それそれの反発力によってズーム操作部材がオフ位置に戻して保持されることが好ましい。
【００１１】
前記第一磁石は、ズーム操作部材自体を磁化させることによって設けられていることが好ましい。また、前記クッション部材は、ズーム操作部材に二色成形によって一体化されたエストラマーであることが好ましい。
【発明の効果】
【００１２】
本発明のスイッチ操作装置は、操作部材に固定された第一磁石とこの第一磁石と対面するように操作部材の近傍に離間して設けられた第二磁石とからなり、操作部材への操作力を解除したときに両磁石の相互間に生じる磁力によって操作部材をオフ位置に戻す復帰手段と、オン位置に向かって操作された前記操作部材の一部を受け止めてその移動を制限するストッパと、前記ストッパと操作部材の前記一部との少なくとも一方に他方と対面するように設けられ、操作部材をオン位置に移動したときに前記一部とストッパとの間で両者の衝突を和らげるクッション部とを設けるので、撮影者が操作部材をオン位置まで操作して操作部材の一部がストッパに衝突しても、クッション部がその衝撃力を吸収するため、衝突によるノイズ音は発生しにくくなる。また、操作部材は磁力によって付勢されているため、摺動によるノイズ音も発生しない。これにより、録音の音質の低下を防ぐことができる。さらに、操作部材は磁力によって付勢されてオフ位置を保っているため、撮影者は操作を円滑に行うことができる。
【００１３】
操作部材をオフ位置の両側に設定された二つのオン位置のいずれかに選択的に操作可能とし、前記復帰手段をそれぞれのオン位置からオフ位置に戻す二組の第一、第二磁石からなることとし、それぞれのオン位置をテレ側撮影、ワイド側撮影に対応させれば、操作部材はズームレンズを備えた動画撮影可能なカメラにおけるズーム操作部材として用いることができる。
【００１４】
ズーム操作部材はオフ位置からそれぞれのオン位置との間で揺動自在であり、第一及び第二磁石の磁極が共通、かつ各々の組では磁極が異なり、それぞれの反発力によってズーム操作部材をオフ位置に戻して保持されることとすれば、一組目の第一磁石と二組目の第一磁石は互いに磁極が違うので、一方をＮ極、もう一方をＳ極として一体の磁石としてズーム操作部材に設けることができる。また、一組目の第二磁石と二組目の第二磁石においても同様にして、一体の磁石としてズーム操作部材の近傍に設けることができる。
【００１５】
第一磁石をズーム操作部材自体を磁化させることによって設ければ、ズーム操作部材の部品点数を減少させることができる。また、クッション部材をズーム操作部材に二色成形によって一体化されたエストラマーとすれば、部品点数を減少させることができる。
【発明を実施するための最良の形態】
【００１６】
図１に示すように、本発明を適用したデジタルカメラ２のカメラ本体３の前面には、固定筒４が設けられている。固定筒４にはレンズ鏡筒５が組み込まれ、撮影時にはレンズ鏡筒５が固定筒４から突出する。レンズ鏡筒５には、ズームレンズ６ａ（図４参照）、フォーカスレンズ等からなるレンズ群６が組み込まれている。ズームレンズ６ａは後述するズームスイッチ操作装置２２（図２参照）の手動による操作でテレ側またはワイド側に移動する。フォーカスレンズはシステム制御部４３（図４参照）により駆動され、自動で適切なピントに調節される。また、カメラ本体３の前面には、動画撮影時等に音声を取得するマイク９が設けられている。なお、カメラ本体３はカメラカバー７によって覆われている。
【００１７】
カメラ本体３の上面には、レリーズボタン１０、電源スイッチ１１、モードダイヤル１２が設けられている。モードダイヤル１２を回動操作すると、静止画撮影モード、動画撮影モード、再生モード等へのモード切替えが可能である。カメラ本体３の側面には、開閉自在なスロットカバー１３、音声を出力するスピーカ１４が設けられている。スロットカバー１３を開くとスロットが露出され、メモリカード１５（図４）の装填が可能となる。
【００１８】
図２に示すように、カメラ本体３の背面には、ファインダ接眼窓１９、ＬＣＤ（液晶表示器）２０、各種設定を行う操作部２１、ズームスイッチ操作装置２２が設けられている。ＬＣＤ２０には、撮影画像や撮影後の記録画像等が操作部２１の設定操作により表示される。
【００１９】
ズームスイッチ操作装置２２は、カメラ操作者に操作されると、ズームレンズ６ａ（図４参照）をテレ側またはワイド側へ移動させる。図３に示すように、ズームスイッチ操作装置２２は、カメラ撮影者に操作される操作部材２４、操作部材２４の回動を規制するストッパ２５，２６、操作部材２４の回動を検出するスイッチ２７、２８から構成される。
【００２０】
操作部材２４は、磁性体で板状に形成され、カメラ本体３に設けられた回転軸３０を中心に回動可能である。操作部材２４は上端部、下端部及び後端部にそれぞれ突起３１、３２、３３が設けられている。操作部材２４は自身が磁化されており、上端部に設けられた突起３１がＮ極（第一磁石）に、下端部に設けられた突起３２がＳ極（第一磁石）になっている。また後端部に設けられた突起３３は、カメラカバー７に設けられた開口３４から突出しておりカメラ外部に露出している。突起３３の先端部３３ａがカメラ操作者により上方向または下方向に力を加えられると、操作部材２４が回転軸３０を中心にして図中反時計方向または時計方向に回動する。
【００２１】
操作部材２４の突起３１及び突起３２の後面側には、衝撃吸収作用のある樹脂材料であるエストラマーにより形成された樹脂部３８、３９（クッション部材）が設けられている。これらは操作部材２４の製造段階において２色成形によって形成されたものである。
【００２２】
ストッパ２５はカメラカバー７の一部によって形成されたものであり、突起３１の後方に離間して設けられている。ストッパ２５は、操作部材２４が時計方向に回動する際に、操作部材２４の樹脂部３８を受け止めることで操作部材２４の時計方向の回動を規制する。また、ストッパ２６は、操作部材２４が反時計方向に回動する際に、操作部材２４の樹脂部３９を受け止めることで操作部材２４の反時計方向の回動を規制する。ストッパ２５の前面側には、磁石２５ａ（第二磁石）が埋め込まれており、ストッパ２５の一部を形成している。また、ストッパ２６の前面側には、磁石２６ａ（第二磁石）が埋め込まれており、ストッパ２６の一部を形成している。なお、図示しないが磁石２５ａ及び磁石２６ａは開口３４のまわりに一体となって形成されており、磁石２５ａはＮ極、磁石２６ａはＳ極になっている。
【００２３】
突起３１とストッパ２５は互いにＮ極に磁化されているため磁気力により反発し合う。また、突起３２とストッパ２６は互いにＳ極に磁化されているため磁気力により反発し合う。突起３１がストッパ２５から磁気による反発力を受けると、操作部材２４には反時計回りのモーメントが生じる。一方、突起３２がストッパ２６から力を受けると、操作部材２４には時計回りのモーメントが生じる。カメラ操作者から操作が行われない状態でこれらのモーメントがつり合うとき、操作部材２４は所定の回動位置である中立回動位置（オフ位置）で停止する。
【００２４】
スイッチ２７は、操作部材２４が反時計まわりに回動して突起３１により押圧されることで通電し、オフ状態からオン状態となる。このときの操作部材２４の位置をテレ側オン位置と呼ぶ。また、スイッチ２８は、操作部材２４が時計まわりに回動して突起３２により押圧されることで通電し、オフ状態からオン状態となる。このときの操作部材２４の位置をワイド側オン位置と呼ぶ。スイッチ２７，２８が通電すると、信号が後述するシステム制御部４３へ送られる。
【００２５】
次に、デジタルカメラ２の電気的な構成を図４を用いて示す。カメラ操作者が電源スイッチ１１、レリーズボタン１０、モードダイヤル１２、操作部２１を操作すると、その操作信号がシステム制御部４３に送られ、各種設定及び制御が行われる。
【００２６】
スイッチ２７または２８がオン状態になると、その信号がシステム制御部４３に送られる。システム制御部４３では、それらの信号に応じた駆動信号をズーム用モータドライバ４４に送る。ズーム用モータドライバ４４は、所定の電圧及び電流でズーム用モータ４５を駆動させ、ズームレンズ６ａを移動させる。結果として、スイッチ２７がオン状態になったときには、ズームレンズ６ａがテレ側に移動し、スイッチ２８がオン状態になったときには、ズームレンズ６ａがワイド側に移動する。なお、スイッチ２７および２８がオフ状態のときには、ズームレンズ６ａは停止している。
【００２７】
レンズ群６の背後には、光学的な被写体画像を撮像信号に変換して出力するＣＣＤイメージセンサ４８が配置されている。ＣＣＤイメージセンサ４８から出力された撮像信号は、アンプ４９、Ａ／Ｄ変換器５０、画像信号処理回路５１を経て画像データに変換される。画像データは、設定に基づきメモリカード１５に記録される。
【００２８】
マイク９によって取得された音声は、アンプ５５、Ａ／Ｄ変換器５６、音声信号処理回路５７を経て音声データに変換される。音声データは、画像データと関連づけられて設定に基づいてメモリカード１５に記録される。
【００２９】
メモリカード１５に記録された画像データは、カメラ操作者の操作により画像再生処理回路５８に読み出されてＬＣＤモニタ２０に表示される。また、メモリカード１５に記録された音声データは、音声再生処理回路５９に読み出されてスピーカ１４から音声として出力される。
【００３０】
以下、上記構成による作用について説明する。モードダイヤル１２を動画モードに設定し、レリーズボタン１０を押圧すると、ＣＣＤイメージセンサ４８及びマイク９等が駆動され、動画像及び音声を記録する動画撮影が開始される。
【００３１】
カメラ操作者は、ＬＣＤモニタ２０に表示されている画像を見ながらズームスイッチ操作装置２２を操作する。ズームスイッチ操作装置２２の操作部材２４は、操作者が力を加えない通常状態ではオフ位置に位置している。
【００３２】
カメラ操作者が、操作部材２４の突起３３の先端部３３ａに下方向に力を加えると、操作部材２４はオフ位置から時計まわりに回動する。力を加え続けると、操作部材２４の突起３１がストッパ２５に当接する。このとき、樹脂部３８が接触の衝撃を吸収するため大きな接触音は発生しない。突起３１のストッパ２５への当接と同時に、スイッチ２８がオン状態となるため、ズームレンズ６ａがワイド側に移動し、ワイド側での撮影が可能となる。
【００３３】
一方、先端部３３ａに上方向に力を加えると、操作部材２４はオフ位置から反時計まわりに回動する。力を加え続けると、操作部材２４の突起３２がストッパ２６に当接するが、樹脂部３９により大きな接触音は発生しない。突起３２のストッパ２６への当接と同時に、スイッチ２７がオン状態となるため、ズームレンズ６ａがテレ側に移動し、テレ側での撮影が可能となる。
【００３４】
このように、操作部材２４をオフ位置からテレ側オン位置またはワイド側オン位置に移動させても接触音等によるノイズ音を発生しないため、ノイズ音がマイクに取得されることがなく、録音の音質の低下を防ぐことができる。また、操作部材２４は磁気力によって付勢されているため、カメラ操作者は円滑に操作を行うことができる。
【００３５】
操作部材２４を操作して望みのズームに設定した後、操作部材２４の操作をやめれば、操作部材２４は磁力による付勢力によってオフ位置に復帰する。
【００３６】
レリーズボタン１０を再度押圧すると、動画撮影が停止される。撮影中の動画像及び音声はメモリカード１５に記録されている。これらの記録された動画像及び音声は、モードダイヤル１２を再生モードに切替えてレリーズボタン１０を押圧することでＬＣＤモニタ２０及びスピーカ１４で再生することが可能である。
【００３７】
なお、上記実施形態では、スイッチ２７及びスイッチ２８を用いて操作部材２４の回動を検出したが、その替わりに、操作部材２４の回動に応じて抵抗が変化する可変抵抗を用いて回動を検出するものであってもよい。その場合には、操作部材２４を弱く押したときにゆっくりズーム、強く押したときに高速ズーム等の多段階設定にしておけば、操作者が加える力にズームの速度が対応するので操作性の良いものとなる。回動を検出するのはこの他公知のものであってもよい。
【００３８】
上記実施形態では、操作部材２４を形成する材料に磁性体を用いて操作部材自身を磁化させていたが、その替わりに図５に示すように、磁石６０を操作部材２４に貼り付けてもよい。
【００３９】
上記実施形態では、操作部材２４の突起３１及び突起３２の後面側に衝撃吸収作用のある樹脂材料（例えばエストラマー）により形成された樹脂部３８、３９を設けた。これらは操作部材２４の製造段階において２色成形によって形成されたものであった。これらの樹脂部３８、３９の替わりに、図５に示すように、樹脂６１、６２を操作部材２４の成形後に貼り付けて設けてもよい。また、樹脂部３８、３９、樹脂部６１、６２はストッパ側に設けてもよい。
【００４０】
上記実施形態では、操作部材２４はカメラ本体３に設けられた回転軸３０を中心に回動するものであったが、これに限らず、操作部材２４はカメラ本体３に設けられた案内路をスライド移動するものであってもよい。
【００４１】
上記実施形態では、スイッチ操作装置２２を操作するとズーム動作が行われたが、その他の動作が行われてもよいし、スイッチ操作装置を操作することで諸条件を設定するものであってもよい。
【００４２】
上記実施形態では、デジタルカメラ２に本発明を設けたが、ビデオカメラに本発明を設けてもよい。さらには、これらに限らず録音可能な携帯機器に設けてもよい。
【図面の簡単な説明】
【００４３】
【図１】本発明を実施したデジタルカメラの外観斜視図である。
【図２】デジタルカメラの背面図である。
【図３】図２のＡ−Ａ切断面におけるズームスイッチ操作装置周辺の断面図である。
【図４】デジタルカメラの電気的構成を示すブロック図である。
【図５】他の実施形態におけるズームスイッチ操作装置周辺の断面図である。
【図６】従来の実施形態におけるズームスイッチ操作装置周辺（板バネ使用）の断面図である。
【符号の説明】
【００４４】
２    デジタルカメラ
３    カメラ本体
７    カメラカバー
９    マイク
２２  ズームスイッチ操作装置
２４  操作部材
２５，２６  ストッパ
２５ａ、２６ａ  磁石（第二磁石）
２７、２８  スイッチ
３０  回転軸
３１、３２  突起（第一磁石）
３３  突起
３３ａ  先端部
３８、３９  樹脂部（クッション部材）
６０  磁石（第一磁石）
６１、６２  樹脂部（クッション部材）
【図１】
2005183081.tif 000003
【図２】
2005183081.tif 000004
【図３】
2005183081.tif 000005
【図４】
2005183081.tif 000006
【図５】
2005183081.tif 000007
【図６】
2005183081.tif 000008